(57)【要約】【課題】レール底面部と大地との間に接地金具を通さずにレールの左右のどちらか一方の片側で固定でき、レールへの取り付けを極めて容易にした接地金具を提供する。【解決手段】レール５１の一側の顎部に導電性材料から成る接地金具１の一端８を当接させ、導電性材料の一端のほぼ延長線上に位置する接地金具の他端１１を、レール締結装置５６に係止させ、この接地金具１の一端８と他端１１とをそれぞれ外方に突っ張らせる手段を設けて、レール５１の一側に固定する構成とし、上記導電性材料から成る接地金具１の一端８がほぼ蒲鉾形状のＴ字型となり、接地金具１の他端１１が先細状になっている。【選択図】図１
2006024396.tif 000002
【特許請求の範囲】
【請求項１】
レールの一側の顎部に導電性材料から成る接地金具の一端を当接させ、導電性材料の一端のほぼ延長線上に位置する接地金具の他端を、レール締結装置に係止させ、この接地金具の一端と他端とをそれぞれ外方に突っ張らせる手段を設けて、レールの一側に固定する構成とし、上記接地金具の一端がほぼ蒲鉾形状のＴ字型となり、上記接地金具の他端が先細状になっていることを特徴とする、軌道対応型接地金具。
【請求項２】
上記外方に突っ張らせる手段が、一本のボルトの半分で左右ネジに分けられたボルトの一端にハンドルを設け、このボルトの左右ネジにそれぞれ二つのナットを螺着し、これらのナットはボルトの回転により、相互に離れたり、接近したりし、これらの各ナットに一端を回転自在に軸支した、リンク片を各ナットの両側にそれぞれ突出させ、各ナットの各一側において、二つのナットから突出した各リンク片の各他端を接地金具の一端又は他端にそれぞれ回転自在に軸支し、かつこの二つの各リンク片の他端に設けた歯車部を相互に噛み合わせ、上記二つのナットが相互に離れることにより接地金具の一端と他端の距離が短くなり、上記二つのナットが相互に接近することにより、接地金具の一端と他端の距離が長くなる構成としたことを特徴とする、請求項１に記載の軌道対応型接地金具。
【発明の詳細な説明】
【技術分野】
【０００１】
この発明は、鉄道の電線路に生じる誘導電流又は大電流を大地に落とすため、レールに取り付ける接地金具に関するものである。
【背景技術】
【０００２】
現在の鉄道軌道用接地金具は、図９に示すように、レール５１の底面とバラスト５２の上面との間に接地金具５０の一端５０ａを通し、その一端５０ａの鉤部５３をレール５１の一側に引っ掛け、他端５０ｂの係止片５４をレール５１の他側に係止し、この係止片５４を締め付け具５５で強固に締め付けているものが使用されている。
しかしながら、近年、鉄道の敷設後の保守作業の軽減と安全性からバラストの散乱防止や振動防止のため、バラストをセメント系てん充材で固めている省力化軌道を採用している。この省力化軌道は、大地とレール底面部との間に隙間がない。それ故、上記図９のような接地金具５０は使用できない。
【０００３】
そこで、図１０に示すように、レール底面部と大地との間に接地金具を通さずにレールの左右のどちらか一方の片側で固定できる接地金具が開発された。これは、レール６０の底辺両側を側板６１で挟持して平坦な床面に定置されたレール６０において、直方体上面にねじ孔を穿ち下面に上記側板６１の端縁と係合可能に三角切り込みを持たせた下ブロック６２と、下端部で上記ねじ孔と螺合し上端部に大径鍔とスパナ掛けを設けた支持ボルト６３と、下面に穿った凹みで支持ボルト６３の上端部へ若干首振り可能に被挿されかつ抜止めされた上ブロック６４と当該上ブロック６４の側面に固着された接地線用圧着端子６５とから構成され、上記下ブロック６２を側板６１の端縁に係合させ支持ボルト６３の回動により上ブロック６４をレール６０の頭と脚辺の境界部に押圧するようにしたものである。
【特許文献１】登録実用新案第３０５９０９４号公報
【特許文献２】公開特許公報特開２００２−２５６５０２
【発明の開示】
【発明が解決しようとする課題】
【０００４】
しかしながら、上記図１０のものは、支持ボルト６３を回して上ブロック６４と下ブロック６２をレール６０の頭と脚辺の境界部及び側板６１の端縁にそれぞれ圧着させるが、上下ブロック６４及び６２の間隔を調整する支持ボルト６３を直接回して締めあげる作業のため相当の力が必要であり、またレール脇の狭い場所で支持ボルト６３の締め上げ作業のため、作業しずらく、また不完全な締め付けとなり、接地金具が取れ易いおそれもある。また、下ブロック６２はブロックの下面に三角切り込みを入れた形状のため側板６１の端縁にしか取り付けできず、汎用性がない。
【０００５】
そこで、この発明は、レール底面部と大地との間に接地金具を通さずにレールの左右のどちらか一方の片側で取り付けられるタイプの接地金具において、レールへの取り付けが極めて容易で、かつ多数種のレール締結金具箇所で取り付けられる汎用性のある接地金具を提供しようとするものである。
【課題を解決するための手段】
【０００６】
請求項１の発明は、レールの一側の顎部に導電性材料から成る接地金具の一端を当接させ、導電性材料の一端のほぼ延長線上に位置する接地金具の他端を、レール締結装置に係止させ、この接地金具の一端と他端とをそれぞれ外方に突っ張らせる手段を設けて、レールの一側に固定する構成とし、上記接地金具の一端がほぼ蒲鉾形状のＴ字型となり、接地金具の他端が先細状になっている、軌道対応型接地金具とした。
また、請求項２発明は、上記軌道対応型接地金具において、上記外方に突っ張らせる手段が、一本のボルトの半分で左右ネジに分けられたボルトの一端にハンドルを設け、このボルトの左右ネジにそれぞれ二つのナットを螺着し、これらのナットはボルトの回転により、相互に離れたり、接近したりし、これらの各ナットに一端を回転自在に軸支した、リンク片を各ナットの両側にそれぞれ突出させ、各ナットの各一側において、二つのナットから突出した各リンク片の各他端を接地金具の一端又は他端にそれぞれ回転自在に軸支し、かつこの二つの各リンク片の他端に設けた歯車部を相互に噛み合わせ、上記二つのナットが相互に離れることにより接地金具の一端と他端の距離が短くなり、上記二つのナットが相互に接近することにより、接地金具の一端と他端の距離が長くなる構成とした。
【発明の効果】
【０００７】
請求項１の発明によれば、レール底面部と大地との間に接地金具を通さずに、取り付けができるので、レールの片側で作業が行える。従って、省力化軌道であっても、接地金具が取り付けられ、さらに従来のバラストの上に固定した軌道にも取り付けられる。従って、接地金具のレールへの取り付けが極めて容易かつ迅速に行え、作業性が良い。また、接地金具の一端がＴ字型になっているため、レールの顎部の下面に一定の長さのほぼ蒲鉾形状の棒を当接させ、先細形状の他端をレール締結装置の金具の間に突き刺すだけで係止させているため、これらを突っ張らせる際、接地金具を安定して取り付けることができる。また、このように接地金具の他端が先細形状になっているため、多数種のレール締結装置に係止することができる。また、突っ張らせる手段が、請求項２のものの場合、ハンドルを回すだけで、確実かつ容易に突っ張ったり、引っ込んだりでき、作業が容易である利点を有する。さらに、ハンドルを接地金具の一端と他端の方向に対して直角な側面に設けているため、特にハンドルを上向きに取り付けることができ、当該接地金具の取り付け操作が極めて容易となる。
【発明を実施するための最良の形態】
【０００８】
レールの一側の顎部に導電性材料から成る接地金具の一端を当接させ、この導電性材料の一端のほぼ延長線上に位置する接地金具の他端をレール締結装置に係止させ、この接地金具の一端と他端とをそれぞれ外方に突っ張らせる手段を設けて、レールの一側に固定する構成とした軌道対応型接地金具であり、上記導電性材料から成る接地金具の一端がほぼ蒲鉾形状のＴ字型となり、接地金具の他端が先細状になっている。これにより、レールの片側で接地金具を容易かつ迅速に取付けることができる。
【実施例１】
【０００９】
図２乃至図４は夫々この発明の接地金具本体１の正面図、平面図、及び要部拡大正面図である。この接地金具本体１は、一本のボルトの半分で左右ネジに分けられたボルト２を設け、図２に示すように、このボルト２の一端に、当該ボルト２を軸としたハンドル３をその頂部に設け、このボルト２の左右ネジに二つの上部ナット４ａ、下部ナット４ｂを螺着している。これらの上部ナット４ａ、下部ナット４ｂはこれらのナットの回転を阻止すると、ボルト２の回転により、相互に離れたり、接近したりする。そして図２において、これらのナットのうちの上部ナット４ａの前後の両側に、それぞれ一端を回転自在に軸支し、上部ナット４ａの右側に他端が伸びたリンク片５ａ、５ａを設け、また、上部ナット４ａの前後の両側に、それぞれ一端を回転自在に軸支し、上部ナット４ａの左側に他端が伸びたリンク片５ｂ、５ｂを設けている。これらのリンク片５ａとリンク片５ｂとは、上部ナット４ａの前後の両側の各側面でリンク片５ａとリンク片５ｂの各一端とを重ねて同一のピン６によって軸支されている。また、図２において、上記ナットのうちの下部ナット４ｂの前後の両側に、それぞれ一端を回転自在に軸支し、下部ナット４ｂの右側に他端が伸びたリンク片５ｃ、５ｃを設け、また、下部ナット４ｂの前後の両側に、それぞれ一端を回転自在に軸支し、下部ナット４ｂの左側に他端が伸びたリンク片５ｄ、５ｄを設けている。これらのリンク片５ｃとリンク片５ｄとは、下部ナット４ｂの前後の両側の各側面でリンク片５ｃとリンク片５ｄの各一端とを重ねて同一のピン７によって軸支されている。
【００１０】
また、上記リンク片５ａとリンク片５ｃの他端は、夫々接地金具の一端８が固定された基台９の前後の両側面にそれぞれ異なるピン１０ａ、１０ｂで軸支され、図４に示すように、先端の外周縁の一部が歯車部５ｅとなり、リンク片５ａとリンク片５ｃとが噛み合っている。また、上記リンク片５ｂとリンク片５ｄの他端は、夫々接地金具の他端１１が固定された基台１２の前後の両側面にそれぞれ異なるピン１３ａ、１３ｂで軸支され、図４に示すように、先端の外周縁の一部が歯車部５ｅとなり、リンク片５ｂとリンク片５ｄとが噛み合っている。
また、上記接地金具の一端８は、導電性材料から成る略Ｔ字型形状となっており、Ｔ字の水平部から成る当接部８ａ（図２参照）の外側は丸みを帯びてほぼ蒲鉾形状となっている。また、このＴ字の水平の一方が長く伸び、その伸びた箇所の側部に接地端子１４（図３及び図６参照）が設けられている。また、上記接地金具の他端１１は先細形状になっている。そして、これらの接地金具の一端８と接地金具の他端１１とはほぼ同一線上に位置している。
【００１１】
そして、上記ボルト２のハンドル３を回すと、上部ナット４ａ及び下部ナット４ｂとが接近することにより、リンク片５ａと５ｃ及びリンク片５ｂと５ｄが夫々相互に接近し、図１に示すように、接地金具の一端８と接地金具の他端１１との距離が長くなり、また、上記ボルト２のハンドル３を上記とは反対方向に回すと、上部ナット４ａ及び下部ナット４ｂとが離れることにより、各リンク５ａと５ｃ及び５ｂと５ｄがそれぞれ相互に離れ、図５に示すように、接地金具の一端８と接地金具の他端１１との距離が短くなる。
【００１２】
この接地金具本体１を、レールに取付けるには、図１に示すように、接地金具の一端８の当接部８ａをレール５１の上部の顎部５１ａの下面に当て、接地金具の他端１１を、レール５１のパンドロール型締結装置５６のバネ部５６ａと本体５６ｂとの間に係止し、ハンドル３を回して、接地金具の一端８と接地金具の他端１１を外方に突っ張らせる。これにより、接地金具本体１は、レールに強固に取付けられ、電線路側に流れた電流を、図外のリード線を通して当該接地金具本体１の接地端子１４に流し、これを接地金具の一端８を介してレール、大地へと流す。
【００１３】
上記の接地金具の一端８のレールへの当接部は、Ｔ字型となっており、かつレール５１の上部の顎部５１ａの下面の形状に合わせて当接部８ａが丸みを帯びているため、レール５１になじみ、その上一定の長さに渡って接触しているため、取り付けの安定性及び、電気的接触を安定させている。また、接地金具の他端１１は先細形状となっているため、レール５１のパンドロール型締結装置５６のバネ部５６ａと本体５６ｂとの間に差し込めば係止でき、係止が容易である。また、上記接地金具の一端８に設けた上記接地端子１４は、図６に示すように、一端に図外のリード線の一端を挟持するスリーブ１４ａが設けられ、このスリーブ１４ａにリード線の芯線を挿入して圧縮し、固定するものである。なお、この接地端子１４は図１、図２、図４及び図５では図示を省略してある。
【００１４】
また、この接地金具本体１は、上述のように、レールの締結装置のある箇所で取り付ける構成であるが、取り付け可能な締結装置は、上記実施例とほぼ同じ、図７に示す省力型パンドロール５７は勿論のこと、図８に示すような、レールを枕木に固定するＰＣ枕木用締結装置５８やその他の締結装置にも使用できる。なお、図７及び８おいて、両方向矢印１はこの発明の接地金具本体１を取り付ける箇所を示している。
【００１５】
なお、この発明は、接地金具の一端と他端とを突っ張らせる手段は、上記実施例のものにおいては、接地金具の一端８と他端１１の方向に対して直角な側面にハンドル３を設けているため、特にハンドル３を上向きに取り付けることができ、当該接地金具の取り付け操作が極めて容易である。しかしながら、この突っ張り手段は、上記実施例に限らず、適宜の突っ張り手段を用いることができる。
【図面の簡単な説明】
【００１６】
【図１】この発明の実施例の接地金具をレールに取り付けた状態を示す正面図である。
【図２】この発明の実施例の接地金具の正面図である。
【図３】この発明の実施例の接地金具の平面図である。
【図４】この発明の実施例の接地金具の一部切欠拡大正面図である。
【図５】この発明の実施例の接地金具を縮めた状態を示す正面図である。
【図６】この発明の実施例の接地金具の接地端子を示す図であり、Ａ図は接地端子の正面図、Ｂ図は接地端子の側面図である。
【図７】この発明の接地金具を取付ける、レールの締結装置としての省力型パンドロール及びそのレール箇所を示す断面図である。
【図８】この発明の接地金具を取付ける、レールのＰＣ枕木用締結装置及びそのレール箇所を示す断面図である。
【図９】従来の接地金具の使用状態を示す正面図である。
【図１０】レールの片側で取り付ける従来の接地金具の使用状態を示す正面図である。
【符号の説明】
【００１７】
１      接地金具本体                    ２      ボルト
３      ハンドル                        ４      ナット
４ａ    上部ナット                      ４ｂ    下部ナット        
５ａ    リンク片                        ５ｂ    リンク片
５ｃ    リンク片                        ５ｄ    リンク片
６      ピン                            ７      ピン
８      接地金具の一端                  ８ａ    当接部
９      基台                            
１０ａ      ピン                          １０ｂ    ピン
１１      接地金具の他端                １２      基台
１３ａ    ピン                          １３ｂ    ピン
１４      接地端子                      ５１      レール
５１ａ    顎部                          ５６      締結装置
５６ａ    バネ部                        ５６ｂ    本体
６０      レール                        ６１      側板
６２      下ブロック                    ６３      支持ボルト
６４      上ブロック                    ６５      接地線用圧着端子
【図１】
2006024396.tif 000003
【図２】
2006024396.tif 000004
【図３】
2006024396.tif 000005
【図４】
2006024396.tif 000006
【図５】
2006024396.tif 000007
【図６】
2006024396.tif 000008
【図７】
2006024396.tif 000009
【図８】
2006024396.tif 000010
【図９】
2006024396.tif 000011
【図１０】
2006024396.tif 000012